(57)【要約】【課題】大判又は幅広の印刷版であっても、コンパクトな状態にして排版ボックスの外にある通常サイズの廃棄箱に簡単に廃棄することができる操作性に優れた排版ボックスを提供する。【解決手段】印刷装置１に着脱可能に取り付けられる排版ボックス１０は、第１排出口１２ａを備えた第１箱部１２と第２排出口１３ａを備えた第２箱部１３が、両排出口の近傍でヒンジ２２により回動可能に連結されてなる。排版時には第１排出口と第２排出口が接続されて閉止され、印刷装置に取り付けられる。廃棄時には印刷装置から取り出して第１箱部と第２箱部をヒンジを中心に回動し、第１排出口と第２排出口を開放して排版Ｓを落下廃棄する。【選択図】図６
2013022758.tif 000002
【特許請求の範囲】
【請求項１】
印刷装置に着脱可能に取り付けられ、前記印刷装置からの排版を収納する排版ボックスにおいて、
収納した排版を廃棄するための第１排出口を備えた第１箱部と、
収納した排版を廃棄するための第２排出口を備えた第２箱部と、
排版を収納する時には前記第１排出口と前記第２排出口が互いに接続されて閉止され、排版を廃棄する時には前記第１排出口と前記第２排出口が互いに離れて開放されるように、前記第１箱部と前記第２箱部を連結する連結部と、
を備えたことを特徴とする排版ボックス。
【請求項２】
前記第１箱部の内部に設けられて前記第１排出口から出没自在とされた第１押出部材と、前記第２箱部の内部に設けられて前記第２排出口から出没自在とされた第２押出部材のうち、少なくとも一方を有することを特徴とする請求項１記載の排版ボックス。
【請求項３】
前記連結部を中心として前記第１箱部と共に回動するように設けられ、前記第１排出口と前記第２排出口が互いに接続されて閉止された排版時には前記第２箱部の内部に位置しており、前記第１排出口と前記第２排出口が互いに離れて開放された廃棄時には前記第２箱部の外部に位置する第１押出部材と、
前記連結部を中心として前記第２箱部と共に回動するように設けられ、前記第１排出口と前記第２排出口が互いに接続されて閉止された排版時には前記第１箱部の内部に位置しており、前記第１排出口と前記第２排出口が互いに離れて開放された廃棄時には前記第１箱部の外部に位置する第２押出部材のうち、
少なくともいずれか一方を有することを特徴とする請求項１記載の排版ボックス。
【請求項４】
前記印刷装置は、前記排版ボックスに排版を送り込む排版方向に沿って前記排版ボックスの排版を圧縮する圧縮手段を備えており、
前記排版ボックスは、前記連結部が前記排版方向に対して平行に配置されており、前記第１箱部と前記第２箱部が、排版を受け入れる排版受け入れ口を前記印刷装置の側に有していることを特徴とする請求項１乃至３の何れか一つに記載の排版ボックス。
【発明の詳細な説明】
【技術分野】
【０００１】
本発明は、製版済みの印刷版を印刷手段に装着して印刷を行なう印刷装置に着脱可能に取り付けられ、印刷手段から除去した印刷版（排版）を収納する排版ボックスに係り、特に大判又は幅広の印刷版であってもコンパクトな状態にして簡単に廃棄できるようにした排版ボックスに関するものである。
【背景技術】
【０００２】
下記特許文献１には、印刷装置１に対して着脱可能とされた排版ボックス５の発明が開示されている。印刷装置１の排版時、印刷装置１に取り付けられた排版ボックス５には、印刷装置１から排版Ｓが送り込まれる。印刷装置１には回動するアーム状の圧縮手段３が設けられており、この圧縮手段３は、排版ボックス５内に入り込み、排版ボックス５内の排版を排版方向と同方向に圧縮する。排版ボックス５内に運び込まれた排版Ｓは、この圧縮手段３によって随時圧縮される。排版ボックス５が排版Ｓで満杯になり、排版ボックス５から排版Ｓを廃棄する必要が生じた場合には、排版ボックス５を印刷装置１から取外す。そして、排版ボックス５を手で持ちながら操作レバー１０を押圧すると、本体７の上面開口に取り付けられたカバー部材８が上方に移動して開口が開放され、これと一体構造の版移動部材９が本体の圧縮部リブ１８ｂの間から前上方に向けて回動し、本体内でリブ１８ａ，１８ｂ，１９に貼り付いた排版Ｓを持ち上げて引き剥がす。ここで、排版方向と平行な本体の一側面に設けられた排出口１６が下がるように本体を傾ければ、排版Ｓを幅方向に移動させて排出口１６から外に捨てることができる。この排版ボックス５によれば、片手で印刷装置１から取り外し、そのまま本体を傾けるだけで排版Ｓを捨てられるので、使い勝手が良好であるものとされている。
【先行技術文献】
【特許文献】
【０００３】
【特許文献１】特開２００９−２３２５３号公報
【発明の概要】
【発明が解決しようとする課題】
【０００４】
上記特許文献１に開示されたような従来の排版ボックスによれば、大判又は幅広の印刷版を廃棄する際の取り扱いが困難となる場合があった。例えば、Ａ２以上のサイズの印刷版（幅５９４ｍｍ以上）や、これより小さいＡ３のサイズであっても、長辺（４２０ｍｍ）を幅方向とした状態で印刷装置から排版されてくる場合には、印刷装置の排版方向と直交する排版の幅方向の寸法が大きくなってしまう。仮にこのような幅寸法の大きな排版を収納できるサイズの排版ボックスを製造し使用したとする。排版ボックス内に収納した排版を廃棄する際には、上述したように排版ボックスを印刷装置から取り外し、排版の幅方向の一端側にある排出口が下がるように本体を傾け、排版を幅方向に滑らせて外に落下廃棄する必要がある。しかし、排版の幅寸法が上述したように大きいと、排版ボックス内に排版が貼り付いて滑りにくく、落下して廃棄することが困難になることが予想される。また、排版ボックスを傾けることにより、排版を幅方向に滑らせて廃棄することができたとしても、上述した例のような幅寸法の大きい排版を受容できる大型の廃棄箱は一般的ではなく、廃棄先をどのように確保・準備するかが問題となる。もちろん、排版を幅方向に圧縮する装置を排版ボックス内に設ければ上記問題は解決するが、そのような圧縮装置を設ければ排版ボックスの構造が複雑化し、製造コストが増大するという他の困難な問題が発生してしまう。また、そもそも、上述したような幅寸法の大きな排版を収納できる大型の排版ボックスでは、ユーザーによって印刷装置から取り外し、傾けて排版を落下廃棄する操作を行なう際のバランス維持が容易ではなく、使い勝手が良好ではないものと予想される。
【０００５】
本発明は、このような従来の技術における課題に鑑みてなされたものであり、大判又は幅広の印刷版であっても、コンパクトな状態にして排版ボックスの外にある通常サイズの廃棄箱に簡単に廃棄することができる操作性に優れた排版ボックスを提供することを目的としている。
【課題を解決するための手段】
【０００６】
請求項１に記載された排版ボックスは、
印刷装置に着脱可能に取り付けられ、前記印刷装置からの排版を収納する排版ボックスにおいて、
収納した排版を廃棄するための第１排出口を備えた第１箱部と、
収納した排版を廃棄するための第２排出口を備えた第２箱部と、
排版を収納する時には前記第１排出口と前記第２排出口が互いに接続されて閉止され、排版を廃棄する時には前記第１排出口と前記第２排出口が互いに離れて開放されるように、前記第１箱部と前記第２箱部を連結する連結部と、
を備えたことを特徴としている。
【０００７】
請求項２に記載された排版ボックスは、請求項１記載の排版ボックスにおいて、
前記第１箱部の内部に設けられて前記第１排出口から出没自在とされた第１押出部材と、前記第２箱部の内部に設けられて前記第２排出口から出没自在とされた第２押出部材のうち、少なくとも一方を有することを特徴としている。
【０００８】
請求項３に記載された排版ボックスは、請求項１記載の排版ボックスにおいて、
前記連結部を中心として前記第１箱部と共に回動するように設けられ、前記第１排出口と前記第２排出口が互いに接続されて閉止された排版時には前記第２箱部の内部に位置しており、前記第１排出口と前記第２排出口が互いに離れて開放された廃棄時には前記第２箱部の外部に位置する第１押出部材と、
前記連結部を中心として前記第２箱部と共に回動するように設けられ、前記第１排出口と前記第２排出口が互いに接続されて閉止された排版時には前記第１箱部の内部に位置しており、前記第１排出口と前記第２排出口が互いに離れて開放された廃棄時には前記第１箱部の外部に位置する第２押出部材のうち、
少なくともいずれか一方を有することを特徴としている。
【０００９】
請求項４に記載された排版ボックスは、請求項１乃至３の何れか一つに記載の排版ボックスにおいて、
前記印刷装置は、前記排版ボックスに排版を送り込む排版方向に沿って前記排版ボックスの排版を圧縮する圧縮手段を備えており、
前記排版ボックスは、前記連結部が前記排版方向に対して平行に配置されており、前記第１箱部と前記第２箱部が、排版を受け入れる排版受け入れ口を前記印刷装置の側に有していることを特徴としている。
【発明の効果】
【００１０】
請求項１に記載された発明によれば、第１箱部の第１排出口と第２箱部の第２排出口を互いに接続することで閉止し、第１箱部と第２箱部が全体として１個の箱体状となった排版ボックスを印刷装置に取り付け、排版を受け入れる。排版ボックスが満杯となり、排版を廃棄する場合には、印刷装置から排版ボックスを取り外し、第１箱部と第２箱部を連結部を中心として回動させることにより、第１排出口と第２排出口を開放し、両排出口から排版を外に落下させて廃棄する。
【００１１】
請求項２に記載された発明によれば、排版の廃棄時に、排版ボックスを印刷装置から取り外し、第１箱部と第２箱部を連結部を中心として回動させ、第１排出口と第２排出口を開放する。その後、第１箱部の内部にあった第１押出部材を第１排出口から外に突出させる。又は、第２箱部の内部にあった第２押出部材を第２排出口から外に突出させる。又は、第１押出部材と第２押出部材を、第１排出口と第２排出口からそれぞれ外に突出させる。このように、押出部材を箱部の内部から外部に突出させることにより、箱部の内部にあった排版を外に強制的に押し出すので、両箱部の回動に伴う排版の廃棄が円滑に行なわれる。
【００１２】
請求項３に記載された発明によれば、排版の廃棄時に、排版ボックスを印刷装置から取り外し、第１箱部と第２箱部を連結部を中心として回動させると、回動する第１箱部に連動して、第１押出部材が連結部を中心として回動し、第２箱部の内部から外部に移動する。又は、回動する第２箱部に連動して、第２押出部材が連結部を中心として回動し、第１箱部の内部から外部に移動する。又は、回動する第１及び第２箱部に連動して、第１及び第２押出部材がそれぞれ連結部を中心として回動し、第２及び第１箱部の内部からそれぞれ外部に移動する。このように、押出部材が箱部の内部から外部に移動することにより、箱部の内部にあった排版を外に強制的に搬送するので、両箱部の回動に伴う排版の廃棄が円滑に行なわれる。
【００１３】
請求項４に記載された発明によれば、印刷装置に排版ボックスを取り付けて排版を受け入れる排版時には、必要に応じて印刷装置の圧縮手段を用いることにより、排版ボックス内に受け入れた排版を排版方向に押圧して圧縮することができ、排版方向についての排版の嵩を小さくすることができる。また、印刷装置から排版ボックスを取り外して排版を廃棄する廃棄時には、排版ボックスの第１箱部と第２箱部は排版方向と平行な連結部を中心として互いに反対方向に回動されるので、両箱部内で排版方向に圧縮された排版は、排版方向と直交する幅方向について、さらに連結部を中心とした二つ折りにされて嵩が小さくなる。従って、排版方向と幅方向の２方向について嵩が小さくなった排版は、排版の幅よりも小さい開口の廃棄箱内に支障なく廃棄することができる。
【図面の簡単な説明】
【００１４】
【図１】本発明の第１実施形態に係る排版ボックスと、該排版ボックスが装着される印刷装置の装着部分を示す斜視図である。
【図２】本発明の第１実施形態に係る排版ボックスの左側面図である。
【図３】本発明の第１実施形態に係る排版ボックスの正面図と平行な切断面における断面図である。
【図４】本発明の第１実施形態に係る排版ボックスにおいて、押出部材の第１例を示す構造及び動作模式図である。
【図５】本発明の第１実施形態に係る排版ボックスにおいて、押出部材の第２例を示す構造及び動作模式図である。
【図６】本発明の第１実施形態に係る排版ボックスの構造及び動作模式図である。
【図７】本発明の第２実施形態に係る排版ボックスの構造及び動作模式図である。
【発明を実施するための形態】
【００１５】
１．第１実施形態（図１〜図３及び図６）
本発明の第１実施形態に係る排版ボックス１０と、この排版ボックス１０が装着される孔版印刷装置１（以下、印刷装置１と称する。）について図１〜図３及び図６を参照して説明する。
図１に示す印刷装置１は、詳細な構造は図示しないが、一点鎖線で示した本体となる筐体２と、筐体２に組み込まれて原稿画像を読み取る読取部と、読取部で取得した画像データによって孔版原紙に画像を穿孔して印刷版を作成する製版部と、製版された印刷版が巻装されて回転駆動される印刷ドラムと、給紙台に積載された印刷用紙を印刷ドラムに供給する給紙部と、印刷ドラムで画像が印刷された印刷用紙を排出して排紙台上に積載する排紙部等を有している。
【００１６】
図１に示すように、この印刷装置１は、図示しない給紙台が設けられた筐体２の側面の上部に着脱部３を有している。着脱部３は、排版ボックス１０を外部から装着でき、また装着した排版ボックス１０を装置１外に取り外せるように構成されている。この着脱部３には、図３に示すような排版手段４が設けられている。この排版手段４は搬送手段５と圧縮手段６から構成される。搬送手段５は、互いに平行に配設された複数本の軸に設けられた複数種類・複数個のローラにベルトを掛け回した構成を有しており、着脱部３に装着された排版ボックス１０に対し、印刷ドラムから剥がした印刷版（以下、排版Ｓと呼ぶ。）を送り込む機能を有する。圧縮手段６は、排版Ｓの送り込み方向と直交する水平な駆動軸６ａと、この駆動軸６ａに適宜間隔で配置された複数本のアーム状の部材６ｂとを有しており、図３中に想像線で示すように排版ボックス１０外で右向きとされた状態から、同図中に実線で示すように排版ボックス１０内で下向きとなった状態まで約９０度の角度を回動することにより、排版ボックス１０内で排版Ｓを後方に送りながら排版Ｓ方向に圧縮する機能を有している。なお、図３中に示すように、印刷装置１には戻り防止部材７が設けられている。印刷装置１に排版ボックス１０を装着すると、この戻り防止部材７は、回動する圧縮手段６と干渉しない位置で、排版ボックス１０の開口部２０の前端側から内部に突出した状態となり、圧縮後に圧縮手段６が前方に戻る際に排版Ｓが排版ボックス１０の外に逆流することを防止する。
【００１７】
図１に示すように、印刷装置１の着脱部３に着脱可能とされた本実施形態の排版ボックス１０は、大判又は幅広の印刷版の排版Ｓに適している。すなわち、例えばＡ２以上のサイズの印刷版（幅５９４ｍｍ以上）や、これより小さいＡ３のサイズであっても長辺（４２０ｍｍ）を幅方向とした状態で排版されてくる場合に対応できるように寸法が設定されている。このように、この排版ボックス１０は排版方向に直交する幅方向の寸法が少なくとも４２０ｍｍ以上ある大型タイプであり、収納した排版Ｓを廃棄する場合やメンテナンス時には、使用者が両手を使えばワンタッチ動作で図示のように印刷装置１から取り外すことができる。
また詳細は後述するが、印刷装置１から使用者が両手で引き出して取り外した排版ボックス１０は、そのまま使用者のワンタッチ動作で幅方向に２つに折り畳み（図６参照）、開いた接続部分の開口から２つ折りにした排版Ｓを廃棄することができる。
【００１８】
図１乃至図３に示すように、排版ボックス１０は、排版Ｓを収納する箱状の本体１１を有している。本体１１は、全体として、底板１５と、一対の側板１６，１７と、後板１８と、上板１９とから構成された中空の筐体である。本体１１の前面及び上板１９の前方部分は、送り込まれた排版Ｓを圧縮するために印刷装置１の圧縮手段６が入り込む開口部２０として開放されている。本体１１の底部である底板１５は、後方の平板部１５ｂと、圧縮手段６の軌跡に沿った形状を有する前方の曲板部１５ａから構成されている。一対の側板１６，１７は、圧縮手段６の圧縮方向と平行であり、底板１５の平板部１５ｂから垂直に立ち上がって本体１１の左右両側面を閉止している。後板１８は、圧縮手段６の圧縮方向に対向しており、両側板１６，１７及び底板１５と垂直となっている。なお、後板１８の外面（本体１１の後面）には使用者が保持するための手掛かりとなる把持部２１が突出して設けられている。
【００１９】
このように本体１１は、全体としては印刷装置１の排版方向に直交する幅方向を長手方向とする細長い中空の箱体であるが、その幅方向の中央で２つの箱部に２分割されている。この状態を模式的に示したのが図６であり、これら２つの箱部を第１箱部１２及び第２箱部１３と呼ぶ。図６に示すように、第１箱部１２の幅方向の外側が前記側板１６であり、同内側が第２箱部１３と隣接して連通する第１排出口１２ａである。第２箱部１３の幅方向の外側が前記側板１７であり、同内側が第１箱部１２と隣接して連通する第２排出口１３ａである。そして第１箱部１２の第１排出口１２ａに近接した上板１９と、第２箱部１３の第２排出口１３ａに近接した上板１９とが、回転中心の連結部となるヒンジ２２で連結されることにより、第１箱部１２と第２箱部１３はそれぞれ上方に回動できるように連結されている。排版ボックス１０は、印刷装置１に装着されて排版Ｓを収納する時には、第１排出口１２ａと第２排出口１３ａが互いに接続されて閉止された状態となり、印刷装置１から取り外して排版Ｓを廃棄する時には、ヒンジ２２で両箱部１２，１３を２つ折りにして第１排出口１２ａと第２排出口１３ａが互いに離れて内部が開放された状態となる。
【００２０】
図３に示すように、第１箱部１２と第２箱部１３からなる排版ボックス１０の底板１５の内面には、送り込まれて圧縮された排版Ｓが貼り付くのを防止するために、圧縮手段６による排版Ｓの圧縮方向と平行に多数枚の底部リブ２３が形成されている。底板１５の曲板部１５ａに設けられた底部リブ２３は、排版Ｓが貼り付くのを防止するだけでなく、本体１１内で回動する圧縮手段６が間に入り込んで回動することにより、排版Ｓを確実に後方に押し込んで圧縮する作用を補助する機能も有している。また、本体１１の底板１５の平板部１５ｂに設けられた底部リブ２３は圧縮方向と平行に設けられている。また、後板１８の内面には、排版Ｓが貼り付くのを防止するために、圧縮手段６による排版Ｓの圧縮方向と平行な鉛直方向に沿って多数枚の圧縮部リブ２４が形成されている。さらに、図３には示していないが、第１箱部１２と第２箱部１３からなる排版ボックス１０の底板１５の内面には、圧縮手段６による排版Ｓの圧縮方向と直交する方向に所定間隔で多数枚の幅方向リブが形成されている。従って、この幅方向リブは、底部リブ２３とともに、排版ボックス１０の底板１５の内面に格子状のリブを構成している。排版Ｓを廃棄する直前の状態では、両箱部１２，１３の幅方向リブと両箱部１２，１３内の排版Ｓは、排版Ｓの幅方向に沿って連続した状態で接触しているため、第１箱部１２と第２箱部１３をヒンジ２２を中心として回動させた際に、排版Ｓは両箱部１２，１３の回動により幅方向リブから摩擦力等に基づく大きな押出力を受け、このため排版Ｓは排版ボックス１０外に円滑に押し出されて確実に廃棄される。
【００２１】
図１乃至図３に示すように、排版ボックス１０の本体１１を構成する第１箱部１２と第２箱部１３には、印刷装置１に対する着脱機構である鉤爪状の係合部材２５と、係合部材２５を操作して印刷装置１に対する係合と離脱を操作する着脱レバー２６とが、それぞれ設けられている。前述したように、第１箱部１２と第２箱部１３には、排版ボックス１０の着脱時に使用者が保持する把持部２１が後板１８の外面にそれぞれ突出して設けられているが、係合部材２５を操作する着脱レバー２６は、使用者が把持部２１を掴みながら、その手の一部の指等で操作することができる。すなわち、排版ボックス１０は、第１箱部１２と第２箱部１３の各把持部２１，２１をそれぞれ片手で持ちながら、その手の一部の指等でそれぞれの着脱レバー２６，２６を操作して印刷装置１に対する係合を解除し、そのまま両手を引くことによって印刷装置１から取り外すことができる。
【００２２】
次に、本例における作用について図６等を参照して説明する。
本実施形態によれば、図６（ａ）に示すように、第１箱部１２の第１排出口１２ａと第２箱部１３の第２排出口１３ａを互いに接続することで閉止し、第１箱部１２と第２箱部１３が全体として１個の排版ボックス１０となった状態で印刷装置１に取り付ける。印刷装置１の使用に伴い、排版が必要な場合には、排版手段４（図３参照）によって排版Ｓが開口部２０から排版ボックス１０内に送り込まれる。この排版時には、必要に応じて排版手段４の圧縮手段６が作動することにより、排版ボックス１０内の排版Ｓを排版方向に押圧して圧縮することができ、排版方向についての排版Ｓの嵩を小さくすることができる。
【００２３】
排版ボックス１０が満杯となり、排版Ｓを廃棄する場合には、次のようにして排版ボックス１０を印刷装置１から取外し、排版ボックス１０から廃棄ボックスへ排版Ｓを投棄する。まず使用者は、右手と左手で第１箱部１２と第２箱部１３の各把持部２１，２１をそれぞれ持ち、それぞれの手の指の一部で各箱部の各着脱レバー２６，２６をそれぞれ操作して各係合部材２５，２５による印刷装置１との係合を解除し、そのまま両手で排版ボックス１０を印刷装置１から引き出して取り外す。次に、使用者は、両手で持っている排版ボックス１０の第１箱部１２と第２箱部１３をヒンジ２２を中心として上方に回動させることにより、図６（ｂ）に示すように第１排出口１２ａと第２排出口１３ａを下方に向けて開放する。両箱部１２，１３の内面には底部リブ２３や圧縮部リブ２４が設けられているため、内部の排版Ｓは両箱部１２，１３の内面に広い面積で強固に付着している状態にはなく、両箱部１２，１３を回動によって互いに相対的に移動する動作により、排版Ｓは両箱部１２，１３の底部リブ２３や圧縮部リブ２４から容易に剥がれて両排出口１２ａ，１３ａから外に落下して廃棄される。この廃棄操作により、排版ボックス１０の第１箱部１２と第２箱部１３は、排版方向と平行なヒンジ２２を中心として互いにぶつかり合う向きに回動されるので、両箱部１２，１３内で排版方向に圧縮された排版Ｓは、さらに排版方向と直交する幅方向についてヒンジ２２を中心とした二つ折りにされ、さらに嵩が小さくコンパクトに成形される。すなわち、投棄される排版Ｓの平面への投影面積は、４２０ｍｍに満たない一般的な開口幅の廃棄ボックスの開口面積に対して十分に小さくなる。従って、排版Ｓの幅よりも小さい開口幅の廃棄ボックスに対しても、投棄により支障なく収納することができる。なお、この操作は図示しない廃棄ボックスの真上で行い、落下する排版Ｓがそのまま廃棄ボックス内に投棄されるようにするとよい。
【００２４】
２．第２実施形態（図４及び図５）
第１実施形態の排版ボックス１０によれば、排版Ｓの廃棄時には、ヒンジ２２を中心に第１箱部１２と第２箱部１３を回動させて両箱部１２，１３の各排出口１２ａ，１３ａを下方に開くだけで、排版Ｓを２つ折りにして落下廃棄することができる。しかしながら、開いた両箱部１２，１３の両排出口１２ａ，１３ａから排版Ｓをより確実に排出させるため、第２実施形態の排版ボックス１０は、さらに排版Ｓの押出部材を備えている。
【００２５】
図４に示す排版ボックス１０によれば、第２箱部１３の内部に設けられて第２排出口１３ａからスライド式に出没自在とされた棒状の押出部材３０を有している。押出部材３０に設けられた操作部３１は、図示しない溝を挿通して箱部１３の外に突出している。なお、図４では、押出部材３０は第２箱部１３にのみ設けられているが、押出部材は第１箱部１２の方に設けてもよいし、両方の箱部１２，１３にそれぞれ設けてもよい。
【００２６】
排版Ｓの廃棄時に、操作者は、排版ボックス１０を印刷装置１から取り外し、第１箱部１２と第２箱部１３をヒンジ２２を中心に回動させ、排版ボックス１０を２つ折りにして第１排出口１２ａと第２排出口１３ａを下方に向けて開放する。その後、操作者は、操作部３１をスライド操作して第２排出口１３ａから押出部材３０を突出させ、内部の排版Ｓを外に突き出す操作を行なう。このように、押出部材３０を箱部１３の内部から外部に突出させることにより、箱部１３の内部にあった排版Ｓを外に強制的に押し出すことができるので、両箱部１２，１３の回動に伴う排版Ｓの落下廃棄を円滑かつ確実に行なうことができる。
【００２７】
図５に示す排版ボックス１０は、ヒンジ２２を中心として第１箱部１２と共に回動するように設けられ、第１箱部１２と第２箱部１３を接続した排版時には第２箱部１３の内部にあり、第１箱部１２と第２箱部１３を回動させた廃棄時には第２箱部１３の外部に移動する第１押出部材３２を備えている。また、この排版ボックス１０は、ヒンジ２２を中心として第２箱部１３と共に回動するように設けられ、第１箱部１２と第２箱部１３を接続した排版時には第１箱部１２の内部にあり、第１箱部１２と第２箱部１３を回動させた廃棄時には第１箱部１２の外部に移動する第２押出部材３３を備えている。なお、図５では、第１及び第２押出部材３２，３３の両方を備えているが、何れか一方でもよい。
【００２８】
排版Ｓの廃棄時に、操作者は、排版ボックス１０を印刷装置１から取り外し、第１箱部１２と第２箱部１３をヒンジ２２を中心に回動させ、排版ボックス１０を２つ折りにして第１排出口１２ａと第２排出口１３ａを下方に向けて開放する。この操作により、回動する第１箱部１２に連動して第１押出部材３２がヒンジ２２を中心として回動し、第２箱部１３の内部から外部に移動する。また、回動する第２箱部１３に連動して第２押出部材３３がヒンジ２２を中心として回動し、第１箱部１２の内部から外部に移動する。このように、２つの押出部材３２，３３がそれぞれ各箱部１３，１２の内部から外部に移動することにより、箱部１２，１３の内部にあった排版Ｓを外に強制的に引っ張りだすので、両箱部１２，１３の回動に伴う排版Ｓの廃棄を円滑かつ確実に行なうことができる。
【００２９】
３．第３実施形態（図６及び図７）
図６に模式的に示した第１実施形態の排版ボックス１０は、ヒンジ２２が排版方向（矢印Ａで表示）に対して平行な水平方向に沿って配置されており、第１箱部１２と第２箱部１３は排版Ｓを受け入れる開口部２０を印刷装置１の側に有していた。しかしながら、ヒンジ２２は排版方向Ａに対して必ずしも平行でなくてもよく、例えば図７（ａ）に示す第３実施形態のように、ヒンジ２２ａは、排版方向Ａに対して直交する鉛直方向に沿って配置されていてもよい。この場合には、排版Ｓの廃棄時には、排版ボックス１０を印刷装置１から取り外し、図７（ｂ）に示すように第１箱部１２と第２箱部１３を開いた後、各箱部の開口１２ａ，１３ａが下方に向くように全体の姿勢を下向きに変えて、内部の排版Ｓを落下廃棄する必要がある。または、排版ボックス１０を印刷装置１から取り外した後、排版ボックス１０の開口部２０を下方に向けてから、第１箱部１２と第２箱部１３を開く操作を行なう必要がある。このような構造及び作用によって廃棄を行なうこととしても、排版ボックス１０内で排版方向Ａに圧縮された排版Ｓを、排版方向Ａとは直交する幅方向についても２つ折りにしてさらにコンパクトに畳み、全体の嵩を第１実施形態と同様に少なくして投棄することができる。
【００３０】
また、図示はしないが、図７（ａ）に示す第３実施形態のように、ヒンジ２２ａは排版方向Ａに対して直交する鉛直方向に沿って配置されている場合の他、排版方向Ａに対して直交する水平方向に沿って配置されていてもかまわない。その場合には、排版方向について圧縮手段６で圧縮しない場合であっても、廃棄時に排版ボックス１０を２つ折りにすることによって、排版Ｓを２つに折って平面への投影面積を減少させて嵩を減少をさせることは可能である。
【００３１】
以上説明したように、本発明の各実施形態に係る排版ボックス１０によれば、大判又は幅広の印刷版であっても、簡単な廃棄動作でコンパクトな状態に折り畳んで外にある通常サイズの廃棄箱に簡単に投棄することができるという効果が得られる。
【符号の説明】
【００３２】
１…孔版印刷装置（印刷装置）
４…排版手段
５…搬送手段
６…圧縮手段
１０…排版ボックス
１２…第１箱部
１２ａ…第１排出口
１３…第２箱部
１３ａ…第２排出口
２０…開口部
２１…把持部
２２，２２ａ…連結部としてのヒンジ
３０，３２，３３…押出部材
Ｓ…排版
Ａ…排版Ｓの排版方向
【図１】
2013022758.tif 000003
【図２】
2013022758.tif 000004
【図３】
2013022758.tif 000005
【図４】
2013022758.tif 000006
【図５】
2013022758.tif 000007
【図６】
2013022758.tif 000008
【図７】
2013022758.tif 000009